(57)【特許請求の範囲】
【請求項１】
長手方向にラックギヤが配設され、一端側にセンターパイプ及び刃体類を取付けた壁体が立設されてなる台盤と、その台盤上を摺動する基盤部分の一端側にギヤボックスの脚体部分が立設され、前記ラックギヤと噛合又は噛合解除することができるピニオンギヤを有するスライドユニットとが備えられたつま切り器において、
平面形状略Ｌ字形をなす切替レバーを設け、
その切替レバーの最も短い腕部分を、該切替レバーが前記スライドユニットの脚体部分の三方を囲む水平面内で回動可能なように、スライドユニットの基盤部分に装着し、
前記切替レバーと前記スライドユニットの脚体部分との間にトーションバネを介装し、
そのトーションバネの力によって切替レバーの中間の腕部分に形成した鉤形係合部に係合されている前記ピニオンギヤ近傍の縦軸部分が前記ラックギヤから離間して、前記ピニオンギヤが前記ラックギヤと噛合解除され、
前記トーションバネの力に抗し切替レバーの最も長い腕部分を押して回動させるときに、前記ピニオンギヤ近傍の縦軸部分が前記鉤形係合部を介して、梃の原理による強い力で前記ラックギヤに向けて押さえられ、前記ピニオンギヤが前記ラックギヤと噛合することを特徴とするつま切り器。
【発明の詳細な説明】
【０００１】
【発明の属する技術分野】
この発明は、刺身のつまを作ったり、かつら剥きやリボン切りを行うつま切り器に関するものである。
【０００２】
【従来の技術】
長手方向にラックギヤを設けた台盤の一端側に、センターパイプと、平刃と、くし刃を着脱可能に取付けた壁体を立設し、該台盤の他端側に、ハンドルによって回転可能としたホルダーを持つスライドユニットを設けて、前記センターパイプと前記ホルダーとで挟持した被切削物（例えば大根）を回転させてその端面を前記刃体で切削するとともに、前記ハンドルの回転軸に設けたウオームと噛み合うウオームホイールの縦軸先端に前記ラックギヤと噛合することができるピニオンギヤを取り付けて、そのピニオンギヤを前記ラックギヤと噛合させ（これによって被切削物の自動送りがなされる）又はその噛合の解除（これによって被切削物の手動送りがなされる）を適宜可能としたつま切り器が従来公知である。
【０００３】
例えば特開２０００−１８９３３１号公報に記載の例では、ハンドルの回転軸に回転可能に設けた筐体に前記ウオームホイールの縦軸を回転自在に支持し、その筐体を避ける屈曲部を形成した操作杆を縦方向に配設して、該操作杆頭部のノブを手で押し下げることによって、その上下方向の変位を水平案内板の横方向の変位に変換し、これによって前記縦軸下端に設けたピニオンギヤを手前に引きつけてラックギヤと噛合させたり、又は該ピニオンギヤを後方に押し出してラックギヤとの噛合を解除させたりするようにしている。
【０００４】
【発明が解決しようとする課題】
この種のつま切り器において、被切削物の切削抵抗や自動送り時の抵抗等でラックギヤと噛み合うピニオンギヤの噛合負荷が増したときに、ピニオンギヤを正しい噛合位置にとどめさすためには、ピニオンギヤをラックギヤに可成りの力で押し付け続ける必要がある。本発明が解決しようとする課題は、つま切り器に要求される小形・軽量性を損なわずに、前記ピニオンギヤを逃がさないように強い押付力で押さえることができるつま切り器を提供することにある。
【０００５】
【課題を解決するための手段】
本発明は、長手方向にラックギヤが配設され、一端側にセンターパイプ及び刃体類を取付けた壁体が立設されてなる台盤と、その台盤上を摺動する基盤部分の一端側にギヤボックスの脚体部分が立設され、前記ラックギヤと噛合又は噛合解除することができるピニオンギヤを有するスライドユニットとが備えられたつま切り器において、平面形状略Ｌ字形をなす切替レバーを設け、その切替レバーの最も短い腕部分を、該切替レバーが前記スライドユニットの脚体部分の三方を囲む水平面内で回動可能なように、スライドユニットの基盤部分に装着し、前記切替レバーと前記スライドユニットの脚体部分との間にトーションバネを介装し、そのトーションバネの力によって切替レバーの中間の腕部分に形成した鉤形係合部に係合されている前記ピニオンギヤ近傍の縦軸部分が前記ラックギヤから離間して、前記ピニオンギヤが前記ラックギヤと噛合解除され、前記トーションバネの力に抗し切替レバーの最も長い腕部分を押して回動させるときに、前記ピニオンギヤ近傍の縦軸部分が前記鉤形係合部を介して、梃の原理による強い力で前記ラックギヤに向けて押さえられ、前記ピニオンギヤが前記ラックギヤと噛合するようにしたものである。
【０００６】
【発明の実施の形態】
図１において、１は平面形状が長方形をなす台盤、２は台盤１の左側に配設された壁体であり、壁体２にはセンターパイプ３、くし刃４および平刃５が取付いている。くし刃４および平刃５によって切削されたものは隙間６から後方に排出される。台盤１の長手方向にはラックギヤ７が設けられ、台盤１の背面には湾曲当接面と垂直当接面とからなる突部９ａを細長可撓片の一端に形成したストッパー９が取付けられ、ストッパー９の突部９ａは台盤１の端部に穿設した貫通孔８から突出している。前記した壁体２と対向して配設されたスライドユニット１０は、基盤部分１１と、その基盤部分１１の一端側に立設された断面矩形状の脚体部分１２と、その脚体部分１２の上部に設けられたギヤボックスを構成する対をなすボックス部分１３，１４とからなる。
【０００７】
図２において、各ボックス部分１３，１４には、ウオーム２１を取り付けた回転軸２２を支承する貫通孔２０ａのほか、ウオームホイル２６の縦軸２７上端に取り付けた円筒状部材２８を支承する軸受孔２０がそれぞれ形成されている。前記二つの軸受孔２０によって支承された円筒状部材２８の軸芯方向はラックギヤ７の長手方向と略平行であり、ウオームホイル２６はウオーム２１と、縦軸２７の下端に取付けたピニオンギヤ２９は前記したラックギヤ７とそれぞれ噛み合うように設定される。前記した回転軸２２には、センターパイプ３と対向する側に、複数本の針状体２４をもったホルダー２３が、他端部にハンドル２５がそれぞれ取付いている。
【０００８】
切替レバー３０回りの分解斜視図である図３において、切替レバー３０は、最も長い腕部分３１，中間の腕部分３４および最も短い腕部分３６の３つの部分で平面形状略Ｌ字形をなし、分厚い厚さを有している。最も長い腕部分３１の端部の表側には押圧用突片３２が形成され、背面側にはトーションバネ４０の一端を係止させる突起３３が形成され、中間の腕部分３４の内側面には縦軸２７を係合する鉤形係合部３５が形成されている。図１および図２では隠れて見えなかったが、基盤部分１１の上面には座１９が形成されている。前記鉤形係合部３５に縦軸２７を係合させてから、切替レバー３０の最も短い腕部分３６を座１９の上に置き、符号３７で示す箇所に取り付けて、スライドユニット１０の脚体部分１２の三方をＬ字形の切替レバー３０で囲むようにする。取付けた状態で、切替レバー３０の下面が台盤１両側の案内上面１ａ，１ａより高くして、取付箇所３７を中心とし、切替レバー３０を円滑に回動可能とする。尚、符号１７は、ピニオンギヤ２９が基盤部分１１の側壁に当らなくする切欠部である。
【０００９】
図５に明らかとしたように、前記突起３３に一端を係止したトーションバネ４０は、他端４１を脚体部分１２の側面に当接させるように取り付ける。これにより切替レバー３０は該トーションバネ４０の反発力によって前記枢着箇所３７を回動中心として図で反時計方向に回されるから、上端の円筒状部材２８は前記軸受孔２０によって支承され、ピニオンギヤ２９近傍箇所は鉤形係合部３５に係合されている縦軸２７は外側に押される事になって、ピニオンギヤ２９はラックギヤ７との噛み合いを解除することになる。図４（ｂ）は、この状態を示す。このトーションバネ４０のバネ力に抗して使用者が押圧用突片３２に矢印方向の力を加えて切替レバー３０を時計方向に回わした場合には、ピニオンギヤ２９近傍の鉤形係合部３５が係合する縦軸２７部分には、梃の原理により、強い押圧力が与えられることになる。図４（ａ）は、この状態を示す。
【００１０】
もう一度、図２に戻り説明すると、スライドユニット１０の基盤部分１１の両側壁には、台盤１に設けたラックギヤ７を通過させる切欠部１５，１５を形成しているほか、基盤部分１１の一方の側壁には、前記ストッパー９の突部９ａを通過させる切欠部１６が形成されている。スライドユニット１０を台盤１に組付ける際には、切欠部１５をラックギヤ７に合わせ、切欠部１６をストッパー９の突部９ａに合わせてスライドユニット１０を滑動させてゆけば、突部９ａが基盤部分１１のもう一方の側壁に当接するところまで進ませることができる。その後はスライドユニット１０を強く押し込み、その押込力を突部９ａの湾曲当接面で押下力に変換して突部９ａをひっこめさすことができるから、該側壁箇所も通過させることができる。通過後は、ストッパー９が有する自己弾発力により再び貫通孔８から突部９ａが突出することになるが、今度は突部９ａの垂直当接面が働いて基盤部分１１を抜け出なくするから、不用意にスライドユニット１０を傾けてもスライドユニット１０を滑落させなくできる。本例では、基盤部分１１の上面に、スライドユニット１０を壁体２側に許容値一杯まで接近させたときに、壁体２の下端部に衝突して、それ以上は前進できなくさせる隆起部１８が形成されている。したがって、スライドユニット１０が壁体２のセンターパイプ３、くし刃４、平刃５にぶつからないように防止できる。
【００１１】
このつま切り器の使用法を説明すると、被切削物である例えば大根を略１２cm程度の長さに切断して、その大根の一方の端面の中心部分を前記センターパイプ３に突き刺し、他方の端面をホルダー２３の複数本の針状体２４で突き刺して保持したのち、スライドユニット１０の脚体部分１２の左側の面に左手の人差指をあてがい、切替レバー３０の突片３２の右面側に左手の親指をあてがって、両方の指でトーションバネ４０の力に抗し挟圧力を加える。そうすると、切替レバー３０は枢着箇所３７を回動中心として時計方向に回動し、縦軸２７が係合されている鉤形係合部３５には、梃の原理により、強い力が与えられること、図４（ａ）のとおりであるから、この状態で右手でハンドル２５を回わせば、くし刃４および平刃５による切削と同時に自動送りを行うことができる。ピニオンギヤ２９近傍の縦軸２７部分はしっかりと押さえられているのでピニオンギヤ２９が逃げたりはしない。左手を放せば、図４（ｂ）の如く、トーションバネ４０の力で噛合解除の状態になり、手動送り可能とする。
【００１２】
本発明のつま切り器は、長手方向にラックギヤが配設され、一端側にセンターパイプ及び刃体類を取付けた壁体が立設されてなる台盤と、その台盤上を摺動する基盤部分の一端側にギヤボックスの脚体部分が立設され、前記ラックギヤと噛合又は噛合解除することができるピニオンギヤを有するスライドユニットとが備えられたつま切り器において、平面形状略Ｌ字形をなす切替レバーを設け、その切替レバーの最も短い腕部分を、該切替レバーが前記スライドユニットの脚体部分の三方を囲む水平面内で回動可能なように、スライドユニットの基盤部分に装着し、前記切替レバーと前記スライドユニットの脚体部分との間にトーションバネを介装し、そのトーションバネの力によって切替レバーの中間の腕部分に形成した鉤形係合部に係合されている前記ピニオンギヤ近傍の縦軸部分が前記ラックギヤから離間して、前記ピニオンギヤが前記ラックギヤと噛合解除され、前記トーションバネの力に抗し切替レバーの最も長い腕部分を押して回動させるときに、前記ピニオンギヤ近傍の縦軸部分が前記鉤形係合部を介して、梃の原理による強い力でラックギヤに向けて押さえられ、ピニオンギヤがラックギヤと噛合するようにしたから、これ迄は有効活用されなかったスライドユニットの脚体部分を巡る空間を利用して切替レバーの取付場所にしたから、該レバーの装着のためにわざわざつま切り器を大きなものにする必要はなく、したがってつま切り器に要求される小形・軽量性を阻害されるおそれは全くない。そして、家庭の主婦でも、右手でハンドルを回し、左手の人差し指と親指とでトーションバネに抗し切替レバーの最も長い腕部分の自由端側を押さえ付けさえすれば、ピニオンギヤを回転しながらラックギヤに継続して可成りの力で押し続けることができるから、ピニオンギヤが逃げたりはしないようにできる。しかも、切替レバーは厚さを厚くすることで簡単に優れた耐変形性を付与することができるから、変形によって力の伝達が正しくなされないといった不都合を生じさせない。
【図面の簡単な説明】
【図１】  本発明になるつま切り器の全体斜視図、
【図２】  図１のスライドユニットの分解斜視図、
【図３】  図１のスライドユニットを背面からみて、特に切替レバー回りをわかりやすく示した分解斜視図、
【図４】  （Ａ）は噛合状態のときの、（Ｂ）は噛合解除状態のときの、それぞれウオームとウオームホイール、縦軸と切替レバー、ピニオンギヤとラックギヤの関係を示した説明図、
【図５】  切替レバーの取り付けを示した平面図である。
【符号の説明】
１  基台
２  壁体
３  センターパイプ
４  くし刃
５  平刃
７  ラックギヤ、
１０  スライドユニット
１１  基盤部分
１２  脚体部分
２１  ウオーム
２２  回転軸
２３  ホルダー
２５  ハンドル
２６  ウオームホイール
２７  縦軸
２８  円筒状部材
２９  ピニオンギヤ
３０  切替レバー
３１  最も長い腕部分
３４  中間の腕部分
３５  鉤形係合部分
３６  最も短い腕部分
４０  トーションバネ
【図１】
0003855766.tif 000002
【図２】
0003855766.tif 000003
【図３】
0003855766.tif 000004
【図４】
0003855766.tif 000005
【図５】
0003855766.tif 000006